(57)【要約】【課題】簡単かつ安価な構成で可変表示式の電柱広告を実現することを目的とする。【解決手段】広告表示装置２が、電子ペーパーからなり、電柱広告の少なくとも一部を構成する表示部１１と、外部の無線通信装置３から無線送信された表示情報を受信する無線通信部１２と、表示部１１の表示を制御する制御部１３とを含み、制御部１３は、無線通信部１２が受信した表示情報を表示部１１に表示させる構成とする。【選択図】図１
2018128622.tif 000002
【特許請求の範囲】
【請求項１】
電柱に設置される可変表示式の広告表示装置であって、
電子ペーパーからなり、電柱広告の少なくとも一部を構成する表示部と、
外部の無線通信装置から無線送信された表示情報を受信する無線通信部と、
前記表示部の表示を制御する制御部とを備え、
前記制御部は、前記無線通信部が受信した前記表示情報を前記表示部に表示させることを特徴とする広告表示装置。
【請求項２】
電柱広告として電柱に取り付けられる支持体をさらに備え、
前記表示部、前記無線通信部、および前記制御部が、前記支持体と一体的に構成されていることを特徴とする請求項１に記載の広告表示装置。
【請求項３】
電柱広告として電柱に取り付けられる支持体をさらに備え、
前記表示部が前記支持体と一体的に構成され、
前記無線通信部および前記制御部が、前記支持体と別体に構成されていることを特徴とする請求項１に記載の広告表示装置。
【請求項４】
前記無線通信部は、特定小電力無線局用の周波数帯を使用して前記無線通信装置と無線通信することを特徴とする請求項１ないし３のいずれかに記載の広告表示装置。
【請求項５】
前記表示情報が、駐車場の空きの有無を示す満空情報であることを特徴とする請求項１ないし４のいずれかに記載の広告表示装置。
【請求項６】
前記表示情報毎に固有の情報識別子が予め付与されおり、
前記無線通信部は、前記無線通信装置から前記情報識別子が付与された前記表示情報を受信し、
前記制御部は、前記表示部に表示すべき前記表示情報の情報識別子を予め格納し、前記無線通信部が受信した前記表示情報に付与されている情報識別子が、前記格納している情報識別子と合致した場合に、前記表示部に前記表示情報を表示させることを特徴とする請求項１ないし５のいずれかに記載の広告表示装置。
【請求項７】
前記表示情報が災害情報を含み、
前記表示情報が前記災害情報である場合、前記制御部は、該災害情報を前記表示部に優先的に表示させることを特徴とする請求項１ないし４のいずれかに記載の広告表示装置。
【請求項８】
前記災害情報に固有の災害識別子が予め付与されおり、
前記無線通信部は、前記無線通信装置から前記災害識別子が付与された前記表示情報を受信し、
前記制御部は、前記表示情報に前記災害識別子が付与されている場合に、該災害情報を前記表示部に優先的に表示させることを特徴とする請求項７に記載の広告表示装置。
【請求項９】
請求項１ないし８のいずれかに記載の広告表示装置と、
前記広告表示装置に表示情報を送信する無線通信装置と、
前記無線通信装置に前記表示情報を提供する情報提供装置と
を備えた広告表示システム。
【請求項１０】
１つの前記無線通信装置から複数の前記広告表示装置に前記表示情報を送信するように構成されており、
前記１つの無線通信装置と前記複数の広告表示装置との間の無線通信は、スター型トポロジー、ツリー型トポロジー、メッシュ型トポロジー、および直線型トポロジーからなる群より選択されるネットワークトポロジーを用いて行われることを特徴とする請求項９に記載の広告表示システム。
【請求項１１】
１つの前記無線通信装置から複数の前記広告表示装置に複数の前記表示情報を送信するように構成されており、
前記各表示情報は、時間多重方式、周波数多重方式、符号多重方式、および偏波多重方式からなる群より選択される多重方式を用いて送信されることを特徴とする請求項９または１０に記載の広告表示システム。
【請求項１２】
電柱広告の少なくとも一部を構成し電子ペーパーからなる表示部を含む広告表示装置を用いて可変表示式の電柱広告を行う広告表示方法であって、
外部の無線通信装置から前記表示部に表示させる表示情報を受信するステップと、
受信した前記表示情報に付与された情報識別子と、前記広告表示装置に格納された情報識別子とが合致した場合に、前記表示情報を前記表示部に表示させるステップと
を有することを特徴とする広告表示方法。
【請求項１３】
受信した前記表示情報に付与された情報識別子が、災害情報のために予め定められた災害識別子である場合に、災害情報である前記表示情報を前記表示部に優先的に表示させるステップ
をさらに有することを特徴とする請求項１２に記載の広告表示方法。
【発明の詳細な説明】
【技術分野】
【０００１】
本開示は、表示情報を変更可能な可変表示式の広告表示装置、広告表示システム、および広告表示方法に関し、特に、電柱に設置される可変表示式の広告表示装置およびそれを含む広告表示システムに関する。
【背景技術】
【０００２】
電柱は日本全国に約３５００万本存在するため、広告媒体として非常に有効である。そこで、電柱を広告媒体としてさらに有効に活用すべく、表示情報を変更可能な可変表示式の電柱広告を実施することが考えられるが、法令または条例により電柱広告に自発光型の表示装置を使用することは禁止されているため、液晶ディスプレイやＬＥＤディスプレイ等を用いたデジタルサイネージ装置を電柱広告に使用することはできない。
【０００３】
そこで、非自発光型の可変表示式の広告表示技術として、特許文献１に、支持体に、太陽電池パネルと、該太陽電池パネルを電源とする電子ペーパー表示体よりなる可変広告表示装置が設けられている防犯灯が提案されている。また、この従来技術では、電子ペーパー表示体が、サーバから広告表示変更信号を受信可能であり、サーバから各電子ペーパー表示体に広告表示変更信号を送信することにより可変広告表示を変更するとされている。
【先行技術文献】
【特許文献】
【０００４】
【特許文献１】特開２０１０−１９２３６８号公報
【発明の概要】
【発明が解決しようとする課題】
【０００５】
しかしながら、上記特許文献１の従来技術では、太陽電池パネルを必要とするため、製造コストが高くなるという問題があった。また、サーバから各電子ペーパー表示体に広告表示変更信号を送信することにより可変広告表示を変更することができるとされているものの、同一の地域または互いに近接する地域に存在する複数の電柱に対して、互いに異なる情報を表示させることまでは開示されていない。
【０００６】
本開示は、このような従来技術の課題を鑑みて案出されたものであり、簡単かつ安価な構成で可変表示式の電柱広告を実現することができる広告表示装置、広告表示システム、および広告表示方法を提供することを目的とする。また、本開示は、同一の地域または互いに近接する地域に存在する複数の電柱に対して、互いに異なる情報を表示させることができる広告表示装置、広告表示システム、および広告表示方法を提供することを目的とする。
【課題を解決するための手段】
【０００７】
本開示の広告表示装置は、電柱に設置される可変表示式の広告表示装置であって、電子ペーパーからなり、電柱広告の少なくとも一部を構成する表示部と、外部の無線通信装置から無線送信された表示情報を受信する無線通信部と、前記表示部の表示を制御する制御部とを含み、前記制御部は、前記無線通信部が受信した前記表示情報を前記表示部に表示させることを特徴とする。
【発明の効果】
【０００８】
本開示によれば、簡単かつ安価な構成で可変表示式の電柱広告を実現することが可能となる。
【図面の簡単な説明】
【０００９】
【図１】本開示に係る広告表示システムの概要を示す構成図
【図２】広告表示装置が取り付けられる電柱を示す図
【図３Ａ】本開示に係る広告表示システムを駐車場の満空情報の表示に適用した例であり、表示部、無線通信部、および制御部を支持体と一体的に構成した場合を示す図
【図３Ｂ】本開示に係る広告表示システムを駐車場の満空情報の表示に適用した例であり、表示部だけを支持体と一体的に構成し、無線通信部および制御部を支持体と別体に構成した場合を示す図
【図４】表示情報が駐車場の満空情報である場合の広告表示システムの一連の処理を示すフロー図
【図５】本開示に係る広告表示システムを災害情報の表示に適用した例を示す図
【図６】表示情報が災害情報である場合の広告表示システムの一連の処理を示すフロー図
【図７Ａ】無線送信装置と複数の広告表示装置との間の無線通信に用いられるネットワークトポロジーの例を示す図
【図７Ｂ】無線送信装置と複数の広告表示装置との間の無線通信に用いられるネットワークトポロジーの例を示す図
【図７Ｃ】複数の広告表示装置の無線通信部間で通信を行う例を示す図
【図８】複数の無線送信装置から複数の広告表示装置に対して複数の表示情報をブロードキャスト方式で配信する例を示す図
【図９】広告表示装置での情報ＩＤおよび災害ＩＤの識別処理を示すフロー図
【図１０】１つの無線送信装置から複数の広告表示装置に対して複数の表示情報をブロードキャスト方式で配信する例を示す図
【発明を実施するための形態】
【００１０】
上記課題を解決するためになされた第１の発明は、電柱に設置される可変表示式の広告表示装置であって、電子ペーパーからなり、電柱広告の少なくとも一部を構成する表示部と、外部の無線通信装置から無線送信された表示情報を受信する無線通信部と、前記表示部の表示を制御する制御部とを備え、前記制御部は、前記無線通信部が受信した前記表示情報を前記表示部に表示させることを特徴とする。
【００１１】
この第１の発明に係る広告表示装置によれば、無線通信装置から受信した表示情報を電柱広告の少なくとも一部を構成する電子ペーパーに表示することができるので、簡単かつ安価な構成で可変表示式の電柱広告を実現することが可能となる。
【００１２】
また、第２の発明は、上記第１の発明において、電柱広告として電柱に取り付けられる支持体をさらに備え、前記表示部、前記無線通信部、および前記制御部が、前記支持体と一体的に構成されていることを特徴とする。
【００１３】
この第２の発明に係る広告表示装置によれば、広告表示装置全体を電柱広告として使用することができるので、さらに簡単かつ安価な構成で可変表示式の電柱広告を実現することが可能となる。
【００１４】
また、第３の発明は、上記第１の発明において、電柱広告として電柱に取り付けられる支持体をさらに備え、前記表示部が前記支持体と一体的に構成され、前記無線通信部および前記制御部が前記支持体と別体に構成されていることを特徴とする。
【００１５】
この第３の発明に係る広告表示装置によれば、広告表示装置の装置構成の自由度が高まる。また、無線通信部を電波状況の良い場所に配置することが可能となる。
【００１６】
また、第４の発明は、上記第１の発明ないし第３の発明のいずれかにおいて、前記無線通信部は、特定小電力無線局用の周波数帯を使用して前記無線通信装置と無線通信することを特徴とする。
【００１７】
この第４の発明に係る広告表示装置によれば、電波法の免許が不要となるとともに、高品質な通信を低コストおよび低消費電力で行うことが可能となる。
【００１８】
また、第５の発明は、上記第１の発明ないし第４の発明のいずれかにおいて、前記表示情報が、駐車場の空きの有無を示す満空情報であることを特徴とする。
【００１９】
この第５の発明に係る広告表示装置によれば、電柱広告に駐車場の空きの有無を示す満空情報を表示することが可能となる。
【００２０】
また、第６の発明は、上記第１の発明ないし第５の発明のいずれかにおいて、前記表示情報毎に固有の情報識別子が予め付与されおり、前記無線通信部は、前記無線通信装置から前記情報識別子が付与された前記表示情報を受信し、前記制御部は、前記表示部に表示すべき前記表示情報の情報識別子を予め格納し、前記無線通信部が受信した前記表示情報に付与されている情報識別子が、前記格納している情報識別子と合致した場合に、前記表示部に前記表示情報を表示させることを特徴とする。
【００２１】
この第６の発明に係る広告表示装置によれば、広告表示装置は、自装置が表示すべき表示情報のみを表示することができる。したがって、複数の表示情報が同じ通信エリア内で送信された場合でも、各表示情報を所望の表示装置で表示することが可能となる。
【００２２】
また、第７の発明は、上記第１の発明ないし第４の発明のいずれかにおいて、前記表示情報が災害情報を含み、前記表示情報が前記災害情報である場合、前記制御部は、該災害情報を前記表示部に優先的に表示させることを特徴とする。
【００２３】
この第７の発明に係る広告表示装置によれば、表示情報が災害情報である場合に、電柱広告に災害情報を優先的に表示することが可能となる。
【００２４】
また、第８の発明は、上記第７の発明において、前記災害情報に固有の災害識別子が予め付与されおり、前記無線通信部は、前記無線通信装置から前記災害識別子が付与された前記表示情報を受信し、前記制御部は、前記表示情報に前記災害識別子が付与されている場合に、該災害情報を前記表示部に優先的に表示させることを特徴とする。
【００２５】
この第８の発明に係る広告表示装置によれば、表示情報が災害情報である場合に、全ての広告表示装置に災害情報を優先的に表示させることができる。
【００２６】
また、第９の発明は、上記の第１の発明ないし第８の発明のいずれかの広告表示装置と、前記広告表示装置に表示情報を送信する無線通信装置と、前記無線通信装置に前記表示情報を提供する情報提供装置とを備えた広告表示システムである。
【００２７】
また、第１０の発明は、上記の第９の発明において、１つの前記無線通信装置から複数の前記広告表示装置に前記表示情報を送信するように構成されており、前記１つの無線通信装置と前記複数の前記広告表示装置との間の無線通信は、スター型トポロジー、ツリー型トポロジー、メッシュ型トポロジー、および直線型トポロジーからなる群より選択されるネットワークトポロジーを用いて行われることを特徴とする。
【００２８】
この第１０の発明に係る広告表示システムによれば、１つの無線通信装置から複数の無線通信装置に対して表示情報を効率的に送信することが可能となる。
【００２９】
また、第１１の発明は、上記の第９の発明または第１０の発明において、１つの前記無線通信装置から複数の前記広告表示装置に複数の前記表示情報を送信するように構成されており、前記各表示情報は、時間多重方式、周波数多重方式、符号多重方式、および偏波多重方式からなる群より選択される多重方式を用いて送信されることを特徴とする。
【００３０】
この第１１の発明に係る広告表示システムによれば、１つの無線装置から複数の無線通信装置に対して複数の表示情報を効率的に送信することが可能となる。また、これにより、無線通信装置の設置の自由度および容易性が向上するとともに、広告表示システム全体のコスト低減が可能となる。
【００３１】
また、第１２の発明は、電柱広告の少なくとも一部を構成し電子ペーパーからなる表示部を含む広告表示装置を用いて可変表示式の電柱広告を行う広告表示方法であって、外部の無線通信装置から前記表示部に表示させる表示情報を受信するステップと、受信した前記表示情報に付与された情報識別子と、前記広告表示装置に格納された情報識別子とが合致した場合に、前記表示情報を前記表示部に表示させるステップとを有することを特徴とする。
【００３２】
この第１２の発明に係る広告表示方法によれば、無線通信装置から受信した表示情報を電柱広告の少なくとも一部を構成する電子ペーパーに表示することができるので、簡単かつ安価な構成で可変表示式の電柱広告を実現することが可能となる。
【００３３】
また、第１３の発明は、受信した前記表示情報に付与された情報識別子が、災害情報のために予め定められた災害識別子である場合に、災害情報である前記表示情報を前記表示部に優先的に表示させるステップをさらに有することを特徴とする。
【００３４】
この第１３の発明に係る広告表示方法によれば、表示情報が災害情報である場合に、全ての広告表示装置に災害情報を優先的に表示させることができる。
【００３５】
以下、本開示の実施形態について、図面を参照しながら説明する。
【００３６】
図１は、本開示に係る広告表示システム１の概要を示す構成図である。図１に示すように、本開示に係る広告表示システム１は、電柱６（図２参照）に配置される広告表示装置２と、広告表示装置２に表示情報を無線送信する無線通信装置３と、無線通信装置３に表示情報を提供する情報提供装置４とを備えて構成される。無線通信装置３と情報提供装置４とはインターネット等のネットワーク５を介して互いに接続されている。なお無線通信装置３と情報提供装置４とは、ネットワーク５ではなく通信ケーブル等を介して直接的に接続してもよい。
【００３７】
図２は、広告表示装置２が配置される電柱６を示す図である。電柱６は、電力を送配電する電線を支持するため電力柱、電話回線や光ケーブル等の通信線を支持するための電信柱、または電線および通信線の両方を支持する共用柱であり得る。
【００３８】
電柱６に取り付けられる電柱広告は、巻広告７と掛広告８の２種類がある。巻広告７は、電柱６に巻き付けるようにして取り付けられる電柱広告であり、掛広告８は巻広告７よりも高い位置に、電柱６から側方に突き出して取り付けられる電柱広告である。巻広告７および掛広告８の形状および寸法の規格は、法令または条例により定められている。巻広告７の規格の一例は、高さ１５０ｃｍ×幅３３ｃｍであり、掛広告８の規格の一例は、高さ１１０ｃｍ×幅４５ｃｍである。
【００３９】
図１に戻り、広告表示装置２は、電子ペーパーからなる表示部１１と、無線通信装置３との間で通信を行う無線通信部１２と、表示部１１の表示を制御する制御部１３とを含む。無線通信部１２は、無線通信装置３から無線送信された表示情報を受信することができる。また、無線通信部１２は、制御情報を無線通信装置３に送信することもできる。この制御情報として、無線通信装置３からの受信に対する応答信号、正常または故障の状態情報を示す信号、現在表示している表示情報の情報識別子等を送信することもできる。また、無線通信部１２は、他の広告表示装置２の無線通信部１２との間で無線通信を行うことも可能である（図７Ｃ参照）。
【００４０】
また、広告表示装置２は、上記したような巻広告７または掛広告８の形状および寸法の規格に適合する形状および寸法を有する支持体１４（図３Ａおよび図３Ｂ参照）をさらに含む。表示部１１、無線通信部１２、および制御部１３は支持体１４と一体的に構成してもよいし（図３Ａ参照）、表示部１１だけを支持体１４と一体的に構成し、無線通信部１２および制御部１３を支持体１４と別体に構成してもよい（図３Ｂ参照）。
【００４１】
支持体１４は、広告表示装置２を巻広告７として使用する場合は、所定の耐久性および電柱に巻きつけることができる程度の柔軟性を有するプラスチックフィルムや金属板等から構成される。また、広告表示装置２を掛広告８として使用する場合は、所定の耐久性および強度を有する金属板等から構成される。
【００４２】
表示部１１は、例えばツイストボール式の電子ペーパーから構成される。なお、電子ペーパーは、非自発光型である限り、ツイストボール式のものに限らず他の様々なタイプのものであってもよい。上述したように、表示部１１は支持体１４と一体的に構成される。表示部１１は、プリンテッドエレクトロニクス技術を用いて電子ペーパーを支持体１４に直接印刷して構成してもよいし、別個に製造した電子ペーパーを支持体１４に嵌めこむかまたは貼り付けて構成してもよい。
【００４３】
無線通信部１２は、電波法による無線局の免許を受けることなく利用可能な特定小電力無線局用の周波数帯（例えば９２０ＭＨｚ帯）を使用して長距離無線通信することができる特定小電力無線機から構成される。なお、無線通信部１２は、無線通信装置３と無線通信することができる限り、特に限定されるものではない。支持体１４と一体的に構成する場合、無線通信部１２は、プリンテッドエレクトロニクス技術を用いて支持体１４に直接印刷してもよいし、別個に製造した特定小電力無線機を支持体１４に嵌めこむかまたは貼り付けてもよい。
【００４４】
制御部１３は、表示部１１の表示を制御可能な小型の電子回路から構成される。支持体１４と一体的に構成する場合、制御部１３は、プリンテッドエレクトロニクス技術を用いて支持体１４に直接印刷してもよいし、別個に製造した電子回路を支持体１４に嵌めこむかまたは貼り付けてもよい。
【００４５】
支持体１４の表面における表示部１１が配置されていない部分には、広告が印刷される。例えば図１の例のように表示部１１が支持体１４の下側部分に配置されている場合は、支持体１４の上側部分に広告が印刷される。なお、支持体１４における無線通信部１２および制御部１３が配置されている部分の表面には、広告を印刷可能な材料（例えば樹脂板や金属板等）が配置されるものとする。このように、表示部１１は、支持体１４に印刷された広告とともに電柱広告を構成する。
【００４６】
無線通信装置３は、無線通信部１２と同様の特定小電力無線機であり、例えば、広告表示装置２が設置される電柱６以外の電柱や駐車場の料金管理装置等に配置される。電柱に配置する場合は、無線通信装置３は、例えば電柱に取り付けた防水ボックスに収納するとよい。なお、無線通信装置３の配置位置は、無線通信部１２と無線通信することができる限り、特に限定されるものではない。表示情報は無線通信装置３から無線通信部１２に送信されるため、無線通信装置３が親機で、無線通信部１２が子機という関係になる。
【００４７】
情報提供装置４は、サーバ機能を有する一般的なコンピュータ装置であり、例えば駐車場、商業施設、公共施設、政府機関、自治体機関等の図示しない情報提供源から表示情報を取得し、取得した表示情報をネットワーク５を介して無線通信装置３に提供する。なお、取得した表示情報は、ネットワーク５ではなく直接通信ケーブル等を介して無線通信装置３に提供するようにしてもよい。
【００４８】
本開示に係る広告表示システム１は、例えば、駐車場の空きの有無を示す満空情報等の広告情報の表示や、地震発生等の災害情報の表示に適用することができる。災害情報の表示に適用する場合は、通常は駐車場の満空情報等の広告情報を表示しておき、災害の発生時にのみ災害情報を表示するようにする。
【００４９】
図３Ａおよび図３Ｂは、本開示に係る広告表示システム１を駐車場の満空情報の表示に適用した例を示す図である。図３Ａは、表示部１１、無線通信部１２、および制御部１３を支持体１４と一体的に構成した場合を示し、図３Ｂは、表示部１１だけを支持体１４と一体的に構成し、無線通信部１２および制御部１３を支持体１４と別体に構成した場合を示す。
【００５０】
図３Ａの例では、各部１１−１４が一体的に構成された広告表示装置２は、巻広告７および掛広告８として電柱６に取り付けられている。巻広告７および掛広告８の両方において、支持体１４の上側部分には、「ＡＢＣパーキング」等の駐車場に関する広告が印刷されており、支持体１４の下側部分には、表示部１１が配置されている。表示部１１には、駐車場の満空情報が表示され、駐車場に空きがある場合（空車の場合）は「空」と表示し、駐車場に空きがない場合（満車の場合）は「満」と表示する。
【００５１】
図３Ｂの例では、表示部１１および支持体１４は巻広告７または掛広告８として電柱６に取り付けられており、無線通信部１２および制御部１３は、電柱６における掛広告８よりも上側の位置に配置されている。巻広告７の無線通信部１２および制御部１３は、無線通信一体ユニット１５Ａとして一体的に構成され、掛広告８の無線通信部１２および制御部１３は、無線通信一体ユニット１５Ｂとして一体的に構成されている。無線通信一体ユニット１５Ａ、１５Ｂは、例えば電柱６に取り付けた防水ボックスに収納するとよい。無線通信一体ユニット１５Ａ、１５Ｂは表示部１１と通信ケーブル１６を介して接続されている。なお、通信ケーブル１６ではなく、無線により接続するように構成してもよい。
【００５２】
なお、図３Ｂの例では、無線通信部１２および制御部１３は無線通信一体ユニット１５Ａ、１５Ｂとして一体的に構成したが、無線通信部１２および制御部１３は互いに別体に構成し、電柱６に別々に取り付けてもよい。その場合は、無線通信部１２および制御部１３は、通信ケーブルまたは無線により接続するものとする。
【００５３】
図４は、本開示に係る広告表示システム１を駐車場の満空情報の表示に適用した場合における、広告表示システム１の一連の処理を示すフロー図である。以下、図４を参照して、表示情報が駐車場の満空情報である場合の広告表示システム１の一連の処理を説明する。
【００５４】
まず、情報提供装置４は、駐車場の管理装置（例えば駐車場の料金管理装置）から駐車場の空きの有無を示す満空情報を所定間隔で定期的に取得する（ＳＴ１０１）。取得された満空情報は、ネットワーク５を介して（または通信ケーブル等を介して直接的に）、電柱や駐車場等に設置された無線通信装置３に送信される（ＳＴ１０２）。本実施形態では、駐車場に空きがある場合は「空車」という情報を送信し、駐車場に空きない場合は「満車」という情報を送信するものとする。
【００５５】
無線通信装置３は、情報提供装置４から駐車場の満空情報を受信すると、受信した満空情報（すなわち、「空車」という情報、または「満車」という情報）を広告表示装置２の無線通信部１２に無線送信する（ＳＴ１０３）。上述したように、この無線通信は、特定小電力無線局の周波数帯（例えば９２０ＭＨｚ帯）を用いて行われる。
【００５６】
広告表示装置２の無線通信部１２は、無線通信装置３から駐車場の満空情報を受信すると、その満空情報を制御部１３に転送する（ＳＴ１０４）。制御部１３は、無線通信部１２から駐車場の満空情報を受け取ると、その満空情報が表示部１１に表示されるように、表示部１１の表示を制御する（ＳＴ１０５）。例えば、表示部１１に「空」が表示されているときに「満車」という情報を受け取った場合は、表示部１１の表示を「空」から「満」に変更する（図３参照）。
【００５７】
具体的には、制御部１３や表示部１１に、予めいくつかの表示パターンを格納させておき、これらのパターンを選択する信号を満空情報として無線通信装置３から送信するようにしてもよい。または、制御部１３や表示部１１は何も保持せずに、「満」や「空」の文字のビットマップを無線通信装置３から送信するようにしてもよい。あるいは、表示させる文字（「満」、「空」等）を電子ペーパーに予め印刷しておき、文字の背景色を文字と同色に切り替えることによって、印刷された文字の一方だけが表示されるようにしてもよい。このようにして、広告表示装置２の表示部１１に、駐車場の満空情報を表示することができる。これにより、支持体１４の上側部分に印刷された広告（駐車場の広告）に加えて、その広告に関するさらに詳しい時変の情報（満空情報）を提供することが可能となる。
【００５８】
図５は、本開示に係る広告表示システム１を災害情報の表示に適用した例を示す図である。図５の例では、広告表示装置２は、上述した図３Ａの例と同様に、巻広告７および掛広告８として電柱６に取り付けられている。図３Ａの例と同様の部分については説明を省略する。
【００５９】
広告表示装置２は、通常は駐車場の満空情報を表示し、災害の発生時にのみ災害情報を表示する。災害情報は、例えば、地震発生、津波発生、火災発生等であり得る。図５の例では、災害情報として地震発生が表示されている。また、災害情報の代わりに、避難を指示する表示、交通規制に関する情報、道路混雑状況に関する情報等を表示するようにしてもよい。あるいは、警戒中、防災、防犯、見守り等の情報を表示するようにしてもよい。
【００６０】
図６は、本開示に係る広告表示システム１を災害情報の表示に適用した場合における、広告表示システム１の一連の処理を示すフロー図である。以下、図６を参照して、表示情報が災害情報である場合の広告表示システム１の一連の処理を説明する。
【００６１】
まず、情報提供装置４は、政府、地方公共団体、民間団体等の予め定められた機関の災害情報管理装置から災害情報を所定間隔で定期的に取得する（ＳＴ２０１）。取得された災害情報は、ネットワーク５を介して（または通信ケーブル等を介して直接的に）、無線通信装置３に送信される（ＳＴ２０１）。本実施形態では、災害情報として、「地震発生」という情報を送信するものとする。
【００６２】
無線通信装置３は、情報提供装置４から災害情報を受信すると、受信した災害情報（すなわち、「地震発生」という情報）を広告表示装置２の無線通信部１２に無線送信する（ＳＴ２０３）。上述したように、この無線通信は、特定小電力無線局の周波数帯（例えば９２０ＭＨｚ帯）を用いて行われる。
【００６３】
広告表示装置２の無線通信部１２は、無線通信装置３から災害情報を受信すると、その災害情報を制御部１３に転送する（ＳＴ２０４）。制御部１３は、無線通信部１２から災害情報を受け取ると、その災害情報が表示部１１に表示されるように、表示部１１の表示を制御する（ＳＴ２０５）。例えば、表示部１１に満空情報である「空」が表示されているときに災害情報を受け取った場合は、表示部１１の表示を「空」から、災害情報である「地震発生」に変更する（図５参照）。このようにして、広告表示装置２の表示部１１に、災害情報を表示することができる。
【００６４】
また、本開示に係る広告表示システム１は、１つの無線通信装置３から複数の広告表示装置２に表示情報を送信するように構成してもよい。この場合、１つの無線通信装置３と複数の広告表示装置２との間の無線通信は、図７Ａおよび図７Ｂに示すような、スター型トポロジー、ツリー型トポロジー、メッシュ型トポロジー、または直線型トポロジーのいずれかのネットワークトポロジーを用いて行うとよい。
【００６５】
図７Ａを参照して、スター型トポロジーは、１つのコンセントレータ（無線通信装置３）に複数のノード（広告表示装置２）が接続されており、ノード・コンセントレータ間の通信は１ポップで直接的に行われる。また、ツリー型トポロジーは、各ノードにおいてはそれより上位のノードがただ１つとなるように枝分かれした形状のネットワークが形成されており、ノード・コンセントレータ間の通信は、各ノードで中継して順次ホップしながら行われる。
【００６６】
図７Ｂを参照して、メッシュ型トポロジーは、各ノードが１つ以上の他のノードと接続されることにより網状のネットワークが形成されており、ノード・コンセントレータ間の通信は、各ノードで中継して順次ホップしながら行われる。また、直線型トポロジーは、各ノードが直線状（直列）に接続されており、ノード・コンセントレータ間の通信は、各ノードで中継して順次ホップしながら行われる。
【００６７】
図７Ａに示したようなスター型トポロジーを用いる場合は、ノード・コンセントレータ間の通信は双方向通信であり、各広告表示装置２の無線通信部１２は、無線通信装置３からの表示情報の受信と、無線通信装置３への制御情報の送信を行うことができる。この制御情報としては、無線通信装置３からの受信に対する応答信号、広告表示装置２の正常または故障の状態を示す信号、現在表示している表示情報を示す信号等が考えられる。また、図７Ｂに示したようなメッシュ型トポロジーまたは直線型トポロジーを用いる場合は、図７Ｃに示すように、各広告表示装置２の無線通信部１２間で通信（双方向通信または一方向通信）が行われる。このとき、各広告表示装置２の無線通信部１２は、別の広告表示装置２の無線通信部１２に表示情報を無線送信する。
【００６８】
また、本開示に係る広告表示システム１は、複数の無線通信装置３を同一の通信エリアに、すなわち各無線通信装置３の通信範囲が互いに重なるように配置し、各無線通信装置３からその無線通信装置３に対応する広告表示装置２にブロードキャスト方式により表示情報を送信するように構成してもよい。この場合、表示情報毎に固有の情報識別子（情報ＩＤ）を予め付与（設定）するとともに、各広告表示装置２にも情報ＩＤを予め付与しておき、表示情報に情報ＩＤを付与して送信するとよい。このようにすると、表示情報を受信した広告表示装置２は、その表示情報に付与されている情報ＩＤが自装置に付与されている情報ＩＤと合致するか否かを確認することにより、受信した表示情報がその広告表示装置２で表示すべきものであるか否かを識別することができる。これにより、表示情報が複数存在し、同一の通信エリア内で異なる表示情報が送信される場合に、表示情報間の混線を防止することが可能となる。なお、広告表示装置２が表示すべき情報ＩＤ（自装置に付与されている情報ＩＤ）は、制御部１３に予め記憶し格納しておくようにすればよい。
【００６９】
また、表示情報が災害情報である場合は、全ての広告表示装置２に災害情報を表示させるようにしたい。そこで、災害情報に対して固有の識別子（災害ＩＤ）を予め付与しておき、表示情報が災害情報である場合は、各無線通信装置３は、その表示情報（すなわち災害情報）に災害ＩＤを付与して送信するとよい。このようにすると、表示情報を受信した広告表示装置２は、その表示情報に付与されているＩＤが災害ＩＤであるか否かを確認することにより、受信した表示情報が災害情報か否かを識別することができる。これにより、表示情報が災害情報である場合に、全ての広告表示装置２に災害情報を優先的に表示させることが可能となる。
【００７０】
図８は、複数の無線通信装置３から複数の広告表示装置２に対して複数の表示情報をブロードキャスト方式で配信する例を示す図である。
【００７１】
図８の例では、３つの無線通信装置３Ａ、３Ｂ、３Ｃが、通信範囲が互いに重なるように配置されている。無線通信装置３Ａは、広告表示装置２Ａおよび２Ｂに対して、駐車場Ａの満空情報を送信し、無線通信装置３Ｂは、広告表示装置２Ｃおよび２Ｄに対して、駐車場Ｂの満空情報を送信する。無線通信装置３Ｃは、広告表示装置２Ａ−２Ｄの全てに対して、災害情報を送信可能である。
【００７２】
広告表示装置２Ａ−２Ｄのそれぞれには、自装置で表示すべき表示情報の固有の識別子（情報ＩＤ）が予め付与されている。本実施形態では、広告表示装置２Ａおよび２Ｂには、「１」という情報ＩＤが付与されており、広告表示装置２Ｃおよび２Ｄには、「２」という情報ＩＤが付与されている。また、災害情報にも、固有の災害識別子（災害ＩＤ）が予め付与（設定）されている。本実施形態では、災害情報には、「９９」という災害ＩＤが付与されている。
【００７３】
図９は、上記の図８の例における、広告表示装置２での情報ＩＤおよび災害ＩＤの識別処理を示すフロー図である。以下、図９を参照して、広告表示装置２での識別処理を説明する。以下の説明において、広告表示装置２は、広告表示装置２Ａ−２Ｄのいずれかであり、無線通信装置３は、無線通信装置３Ａ−３Ｃのいずれかである。
【００７４】
まず、広告表示装置２は、無線通信装置３から表示情報を受信する（ＳＴ３０１）。次に、広告表示装置２は、その表示情報に付与されている識別子がその広告表示装置２に予め付与されている情報ＩＤであるか否かを判定する（ＳＴ３０２）。自装置に予め付与されている情報ＩＤであると判定された場合（ＳＴ３０２：Ｙｅｓ）はステップＳＴ３０３に進み、自装置に予め付与されている情報ＩＤではないと判定された場合（ＳＴ３０２：Ｎｏ）はステップＳＴ３０４に進む。
【００７５】
ステップＳＴ３０３では、制御部１３が表示部１１を制御することにより、無線通信装置３から受信した表示情報（すなわち満空情報）を表示部１１に表示し、その後、処理を終了する。
【００７６】
ステップＳＴ３０４では、その表示情報に付与されている識別子が災害ＩＤであるか否かを判定する。災害ＩＤであると判定された場合（ＳＴ３０４：Ｙｅｓ）はステップＳＴ３０５に進み、災害ＩＤではないと判定された場合（ＳＴ３０４：Ｎｏ）はステップＳＴ３０６に進む。
【００７７】
ステップＳＴ３０５では、制御部１３が表示部１１を制御することにより、無線通信装置３から受信した表示情報（すなわち災害情報）を表示部１１に表示し、その後、処理を終了する。
【００７８】
ステップＳＴ３０６では、無線通信装置３から受信した表示情報を破棄し、その後、処理を終了する。
【００７９】
このようにして、広告表示装置２は、その広告表示装置２に対応する表示情報（満空情報）のみを表示することができる。また、表示情報が災害情報である場合は、全ての広告表示装置２が災害情報を表示することができる。
【００８０】
図８の例では、複数の無線通信装置３から複数の広告表示装置２に対して複数の表示情報をブロードキャスト方式で配信したが、図１０に示すように、１つの無線通信装置３から複数の広告表示装置２に対して複数の表示情報をブロードキャスト方式で配信してもよい。図１０の例では、無線通信装置３Ｄは、表示情報Ａ、表示情報Ｂ、および災害情報の３種類の表示情報を送信する。具体的には、無線通信装置３Ｄは、広告表示装置２Ｅおよび２Ｆに対して表示情報Ａ（例えば、駐車場Ａの満空情報）を送信し、広告表示装置２Ｇおよび２Ｈに対して表示情報Ｂ（例えば、駐車場Ｂの満空情報）を送信する。また、無線通信装置３Ｄは、広告表示装置２Ｅ−２Ｈの全てに対して、災害情報を送信可能である。
【００８１】
広告表示装置２Ｅ−２Ｈのそれぞれには、自装置で表示すべき表示情報の固有の識別子（情報ＩＤ）が予め付与されている。本実施形態では、広告表示装置２Ｅおよび２Ｆには、「１」という情報ＩＤが付与されており、広告表示装置２Ｇおよび２Ｈには、「２」という情報ＩＤが付与されている。また、災害情報にも、固有の災害識別子（災害ＩＤ）が予め付与されている。本実施形態では、災害情報には、「９９」という災害ＩＤが付与されているものとする。
【００８２】
無線通信装置３Ｄは、表示情報Ａ、表示情報Ｂ、および災害情報を、時間多重方式、周波数多重方式、符号多重方式、偏波多重方式、またはその他の受信側で分離可能な多重方式で送信する。図１０の例では、時間で分離した時間多重方式で送信している。広告表示装置２Ｅ−２Ｈでの情報ＩＤおよび災害ＩＤの識別処理は、図８に示した広告表示装置２Ａ−２Ｄと同様（図９参照）であるので、説明は省略する。
【００８３】
以上、本開示を特定の実施形態に基づいて説明したが、これらの実施形態はあくまでも例示であって、本開示はこれらの実施形態によって限定されるものではない。また、上記実施形態に示した本開示に係る広告表示装置、広告表示システム、および広告表示方法の各構成要素は、必ずしも全てが必須ではなく、少なくとも本開示の範囲を逸脱しない限りにおいて適宜取捨選択することが可能である。
【産業上の利用可能性】
【００８４】
本開示に係る広告表示装置、広告表示システム、および広告表示方法は、簡単かつ安価な構成で可変表示式の電柱広告を実現することができる広告表示装置、広告表示システム、および広告表示方法を提供するとして有用である。
【符号の説明】
【００８５】
１    広告表示システム
２    広告表示装置
３    無線通信装置
４    情報提供装置
５    ネットワーク
６    電柱
７    巻広告
８    掛広告
１１  表示部
１２  無線通信部
１３  制御部
１４  支持体
１５Ａ、１５Ｂ  無線通信一体ユニット
【図１】
2018128622.tif 000003
【図２】
2018128622.tif 000004
【図３Ａ】
2018128622.tif 000005
【図３Ｂ】
2018128622.tif 000006
【図４】
2018128622.tif 000007
【図５】
2018128622.tif 000008
【図６】
2018128622.tif 000009
【図７Ａ】
2018128622.tif 000010
【図７Ｂ】
2018128622.tif 000011
【図７Ｃ】
2018128622.tif 000012
【図８】
2018128622.tif 000013
【図９】
2018128622.tif 000014
【図１０】
2018128622.tif 000015